(57)【要約】【課題】全部又は一部がネット部材２からなるかつらベース２であって、自然なボリューム感を得ると共に、かつら装着者の自毛と馴染みがよく自然な外観とヘアスタイルが得られ、さらに、フィット感と形状安定性に優れるかつらベースを提供することを目的とする。【解決手段】  全部又は一部がネット部材２によって形成されるかつらベース１において、フィラメントを連続して編成することにより形成されるネット部材２の網目３構造は毛髪１５を植設するための円弧状部５を有すると共に、円弧状部１５の頂点近傍及び網目３の左右両端部を連結して編成され、網目３の開口部には複数本の形状安定糸７が掛け渡されて形成され、ネット部材２は円弧状部５の突出方向が前額部側に向くように配置されてなることを特徴とする。【選択図】図１
2010196197.tif 000002
【特許請求の範囲】
【請求項１】
全部又は一部がネット部材によって形成されるかつらベースにおいて、
フィラメントを連続して編成することにより形成される前記ネット部材の網目構造は毛髪を植設するための円弧状部を有すると共に、前記円弧状部の頂点近傍及び当該網目の左右両端部を連結して編成され、前記網目の開口部には複数本の形状安定糸が掛け渡されて形成され、前記ネット部材は前記円弧状部の突出方向が前額部側に向くように配置されてなることを特徴とするかつらベース。
【請求項２】
前記円弧状部の中心角度は、８５°以上１５５°以下であることを特徴とする請求項１に記載のかつらベース。
【請求項３】
前記ネット部材の剛軟度は、ＪＩＳ  Ｌ１０９６のＡ法で１５ｍｍ以上７０ｍｍ以下であることを特徴とする請求項１又は２に記載のかつらベース。
【請求項４】
前記形状安定糸は、前記網目の開口部に２本以上６本以下の偶数本で、且つ、前記円弧状部の中心線に対して左右対称に掛け渡されていることを特徴とする請求項１から３のいずれか１項に記載のかつらベース。
【請求項５】
前記ネット部材は、隣接する網目の円弧状部の列が互い違いになるように連続して編成されていることを特徴とする請求項１から４のいずれか１項に記載のかつらベース。
【請求項６】
前記ネット部材は、隣接する網目の円弧状部の列が同列になるように連続して編成されていることを特徴とする請求項１から４のいずれか１項に記載のかつらベース。
【発明の詳細な説明】
【技術分野】
【０００１】
本発明は、かつらベースに関し、さらに詳しくは、毛髪を植設することによってかつらを形成するためのかつらベースに関する。
【背景技術】
【０００２】
従来、かつらは、ネット部材や人工皮膚などのかつらベースに天然毛髪や人工毛髪などの毛髪を植設することにより作製される。例えば、ポリウレタンなどの合成樹脂を素材とした人工皮膚で作製されるかつらベースは、ネット部材によって作製されるかつらベースと比較すると、形状安定性には優れるが通気性が劣ることがある。快適さが要求されるかつらにおいて、通気性の確保は重要な要素となる。そのため、例えば特許文献１の図２や特許文献２に開示されているように、網目からなるネット部材で作製したかつらベースが提供されている。
【先行技術文献】
【特許文献】
【０００３】
【特許文献１】特開平７−２２９００９号公報
【特許文献２】特開２００４−６００６０号公報
【発明の概要】
【発明が解決しようとする課題】
【０００４】
しかしながら、ネット部材からなるかつらベースは、比較的弾性回復力があり、植設した毛髪の根元付近を立ち上がらせることができる人工皮膚などの素材と比較して、毛髪が倒れやすく自然なボリューム感を得ることができず、所望のヘアスタイルが作れないことがある。
【０００５】
通常、毛髪はネット部材を形成している縦糸もしくは横糸に結びつけることで植設される。この植設は通常手作業で行われ、さらに、毛髪を縦糸又は横糸に巻き付けた後に、一定方向に毛髪を引っ張って結び目を形成することで確実に結びつけているため植設された毛髪は一定方向への指向性を有することになる。このような植設方法によると、毛髪が同一方向に規則正しく並び、同一方向に集束してしまうので、特に、上方向からの力が加わると毛髪が立ち上がらずに寝てしまうことがある。
【０００６】
そのため、特許文献１に開示されているように、ネット部材を形成している縦糸及び横糸に不規則に複数本の毛髪を植設する方法も考えられる。この方法によれば、従来のかつらに比べてかつらベースに植設される毛髪量が多くなるので毛髪同士が支え合うことができ、植設した毛髪がある程度立ち上がる。しかしながら、このようなかつらでは必要以上に毛髪量が多くなり、不自然な外観となってしまうため満足のいくかつらを得ることは難しいという問題があった。
【０００７】
また、特許文献２に開示されているように、一つのかつらベースに複数の異なる形状のネット部材を用いることで、毛髪の指向性が一定の方向に向かわないようにする方法も考えられる。このようなネット部材に毛髪を植設したかつらによれば、植設された毛髪の指向性が同一方向に集まることは少ない。しかしながら、このようなかつらでは植設された毛髪全体あるいは部分的に指向性を制御することが困難となり、毛髪がまとまらなくなってしまうことから満足のいくヘアスタイルをセットすることが難しいという問題があった。
【０００８】
また、他の問題として、ネット部材からなるかつらベースは、長期間使用していると、特に日々のかつら着脱時に生じる引張荷重によって、ネット部材を構成している縦糸または横糸が伸びてしまい、ネット部材にシワが生じる傾向がある。このようにしてネット部材に生じたシワは、かつらベースの形状が歪む原因となる。かつらベースの形状に歪みが生じると、かつらベースの変形、フィット感の低下等の問題が生じることがあり、上述した公知のいずれの方法でも満足のいくかつらを得ることはできなかった。
【０００９】
本発明は、前記問題点に鑑みてなされたもので、全部又は一部がネット部材からなるかつらベースであって、自然なボリューム感を得ると共に、かつら装着者の自毛と馴染みがよく自然な外観とヘアスタイルが得られ、さらに、フィット感と形状安定性に優れるかつらベースを提供することを目的とする。
【課題を解決するための手段】
【００１０】
上述の目的を達成するために、請求項１に記載の本発明は、全部又は一部がネット部材によって形成されるかつらベースにおいて、フィラメントを連続して編成することにより形成されるネット部材の網目構造は毛髪を植設するための円弧状部を有すると共に、円弧状部の頂点近傍及び網目の左右両端部を連結して編成され、網目の開口部には複数本の形状安定糸が掛け渡されて形成され、ネット部材は円弧状部の突出方向が前額部側に向くように配置されてなることを特徴とするかつらベース。
【００１１】
上述の目的を達成するために、請求項２に記載の本発明は、請求項１に記載のかつらベースにおいて、円弧状部の中心角度は、８５°以上１５５°以下であることを特徴とする。
【００１２】
上述の目的を達成するために、請求項３に記載の本発明は、請求項１又は２に記載のかつらベースにおいて、ネット部材の剛軟度は、ＪＩＳ  Ｌ１０９６のＡ法で１５ｍｍ以上７０ｍｍ以下であることを特徴とする。
【００１３】
上述の目的を達成するために、請求項４に記載の本発明は、請求項１から３のいずれか１項に記載のかつらベースにおいて、形状安定糸は、網目の開口部に２本以上６本以下の偶数本で、且つ、円弧状部の中心線に対して左右対称に掛け渡されていることを特徴とする。
【００１４】
上述の目的を達成するために、請求項５に記載の本発明は、請求項１から４のいずれか１項に記載のかつらベースにおいて、ネット部材は、隣接する網目の円弧状部の列が互い違いになるように連続して編成されていることを特徴とする。
【００１５】
上述の目的を達成するために、請求項６に記載の本発明は、請求項１から４のいずれか１項に記載のかつらベースにおいて、ネット部材は、隣接する網目の円弧状部の列が同列になるように連続して編成されていることを特徴とする。
【発明の効果】
【００１６】
本発明のかつらベースによれば、ネット部材の網目構造を形成する円弧状部の突出方向に毛先側が向くように植設することで毛髪の指向性が放射状となり、隣接する網目に植設した毛髪と交差するため、それぞれの毛髪の立ち上がりがよくなり、従来のかつらにはない自然なボリューム感とヘアスタイルを得ることができるという効果がある。
【００１７】
また、後頭部付近においては、円弧状部の突出方向とは反対方向に毛先側が向くように植設することで毛髪の指向性が一方向になるため、それぞれの毛髪が重なり合いやすく必要以上の毛髪の立ち上がりがなくなり、かつらの外周端部でかつらの毛髪と装着者の自毛との馴染みが向上し、うなじ付近は特に馴染みがよくなり、自然な外観とヘアスタイルを得ることができるという効果がある。
【００１８】
また、網目の開口部に形状安定糸を配置したので、ネット部材に軟らかく高いフィット感を維持させながら引張強度を向上することが可能となり、かつら着脱時に生じるネット部材のひずみを減少させ、従来のかつらにはないかつらベースの形状安定性を得ることができるという効果がある。
【図面の簡単な説明】
【００１９】
【図１】本発明に係るかつらベースの一実施形態を使用したかつらの平面図である。
【図２】本発明の網目の編成を表した模式図である。
【図３】（ａ）はネット部材の第１の実施形態の拡大図、（ｂ）はネット部材の第２の実施形態の拡大図である。
【図４】（ａ）はネット部材の円弧状部の突出方向へ植設した毛髪の指向性を示す図、（ｂ）はネット部材の円弧状部の突出方向とは反対方向へ植設した毛髪の指向性を示す図である。
【図５】実施例９の毛髪の指向性を示す図である。
【図６】実施例１０の毛髪の指向性を示す図である。
【図７】毛髪を不規則に、且つ、指向性も一方向でないように植設した状態を示す図である。
【発明を実施するための形態】
【００２０】
以下、本発明に係るかつらベースの好ましい実施の形態を、添付図面を参照しながら詳細に説明する。図１は本発明に係るかつらベースの一実施形態を使用したかつらの平面図である。図示されたかつらベース１は、装着者の頭頂部の形状に即した形状のネット部材２により構成されており、かつらはこのネット部材２に毛髪１５を植設することによって形成されている。ネット部材２は、図３（ａ）（ｂ）に示すように、網目３の構造が一部に円弧状部５を有する略扇型形状をなしている。そして、網目３の円弧状部５の円弧の突出方向が、かつらベース１の前額部側（図１のＦ方向）に向くように配置されている。尚、ネット部材２は本来、かつらベース１の全面に張られ、毛髪１５が所定の箇所に植設されているが、図１では便宜上、一部のネット部材２のみを図示している。
【００２１】
ネット部材２は、５５〜２２３ｄｔｅｘのフィラメント２０をほぼ平面に編成されてなるものであるが、フィラメント２０同士の編み込みにより平面的に閉じられた空間を「網目」と呼び、図２は網目３を拡大した図である。そして、ネット部材２の第１の実施形態として図３（ａ）に示すように、フィラメント２０が所定の中心角度を持って連続して円弧状に形成されることで円弧状部５を編成し、また、網目３をそれぞれのフィラメント２０の頂点近傍１１及び円弧状部５の左右両端部１２で連結することで連結部６を編成し、さらに、円弧状部５のａ列とｂ列が互い違いになるように連続して編成されている。加えて、形状安定糸７が円弧状部５から網目３の開口部を跨ぐようにして略平行に掛け渡されている。このように編成された網目３はあたかも扇のような形状を成している。ここで、中心角度とは、円弧状部５の左右両端部１２と、この左右両端部１２からそれぞれ伸びる直線部が互いに交わる連結部６を結んだ際のなす角度のことである。また、第２の実施形態として図３（ｂ）に示すネット部材２は、第１の実施形態と同様に、所定の中心角度を持つ円弧状部５が連続して連結されているが、円弧状部５のｃ列及びｄ列が同列になるように連続して編成されている点で第１の実施形態のかつらベース１と相違している。尚、形状安定糸７が網目３の開口部を跨ぐようにして円弧状部５とほぼ直交する方向に略平行に掛け渡されて網目３が構成されている点では同じである。
【００２２】
次に、このネット部材２への毛髪１５の植設について説明する。図４（ａ）に示すように、毛髪１５は円弧状部５のみに植設する。そして、かつらベース１の前額部及び頭頂部付近では円弧状部５の突出方向に沿ってそれぞれの毛髪１５の結び目１０が重ならないような所定の間隔で規則正しく毛髪１５を植設し、毛髪１５の毛先が円弧状部５の接線方向に対してほぼ垂直で突出方向に指向性を有するように植設することが好ましい。このように植設することで毛髪１５の指向性が放射状となり、隣接する網目３に植設した毛髪１５と交差することになるため、それぞれの毛髪１５の立ち上がりがよくなるからである。例えば、図７に示すように、規則正しく毛髪１５を植設せずに、円弧状部５から垂直に指向性を有しないように植設した場合には、毛髪１５の指向性が不規則に分散してしまい、毛髪１５のまとまりが欠けることで外観が不自然になってしまうので好ましくなく、前額部及び頭頂部付近では毛髪１５の指向性が放射状とならずに、毛髪１５の根元から毛先まで重なり集束し、それぞれの毛髪１５が互いの自重で倒れてしまい、良好な毛髪１５の立ち上がりが得られないことがあるので好ましくない。さらに、図４（ｂ）に示すように、かつらベース１の後頭部付近では、円弧状部５の接線方向に対してほぼ垂直で突出方向と反対側に指向性を有するように規則正しく、毛髪１５を植設することが好ましい。図７に示すように、毛髪１５を不規則に、且つ、指向性も一方向でないように植設した場合には、毛髪１５が集束せずに分散してしまうので、毛髪１５が立ち上がりやすくなり、かつらの外周端部１６の毛髪１５と装着者の自毛とが馴染み合わず、かつら装着者の特にうなじ付近で自然な外観とヘアスタイルが得られなくなるので好ましくない。
【００２３】
また、円弧状部５以外の部位である連結部６や形状安定糸７に毛髪１５を植設することは好ましくない。連結部６に植設すると、連結部６を構成するフィラメント２０がほつれることがあること、また、連結部６は円弧状でないので、植設する毛髪１５に所定の指向性を持たすことができずに、毛髪１５が集束してしまい良好な立ち上がりが得られないことがあるからである。また、形状安定糸７に植設すると、フィラメントがほつれることがあること、また、形状安定糸７は円弧状部５と直交する方向に直線状に掛け渡されているので、植設する毛髪１５の指向性が放射状にならずに毛髪１５が立ち上がりにくくなるので好ましくないからである。
【００２４】
ここで、円弧状部５の円弧の中心角度９は、８５°以上１５５°以下の範囲であることが好ましい。図５に示すように、円弧状部５の中心角度９が８５°未満の場合であっても毛髪１５は放射方向に植設されるため隣接する網目３に植設した毛髪１５との交差によって毛髪１５の立ち上がりがよくなるとういう効果は認められるが、円弧状部５の長さが相対的に短くなるために毛髪１５の放射方向が制限されるのでその分だけ隣接する網目３に植設した毛髪１５との交差が少なくなる。また、図６に示すように、中心角度が１５５°を超えるような場合には、毛髪１５の立ち上がりがよくなるとういう効果は認められるが、円弧状部５の形状が半円（中心角度１８０度）状態に近づくために、植設した毛髪１５の指向性が広がり過ぎてしまう。従って、より十分な効果を得るためには円弧状部５の円弧の中心角度９は、８５°以上１５５°以下の範囲とすることが好ましい。また、円弧状部５の中心角度が１５５°を超えるようなネット部材２の場合には毛髪１５の植設範囲を８５°以上１５５°以下の範囲にすることでより効果的な毛髪１５の立ち上がりを実現することが可能となる。また、かつら装着者の頭部の残毛状態に応じて、網目の開口部の大きさを変えたネット部材２を用いることができる。尚、図中の矢印は毛髪１５の指向方向を表している。
【００２５】
前記のように構成されたネット部材２をかつらベース１に使用する場合には、円弧状部５の突出方向がかつらの前額部側Ｆ以外に向くようにして配置してしまうと、かつらとして自然な外観を得るために最も重要な前額部、または、頭頂部付近において、前額部側に向かう毛髪１５の指向性が放射状にならなくなるので、毛髪１５の立ち上がりが不十分となり、自然なボリューム感とヘアスタイルが得られなくなるので好ましくない。
【００２６】
ネット部材２の素材は特に限定しないが、形状安定性に優れるポリエステルが好ましく、かつらの装着感及びフィット感を向上させるために、ネット部材２の縦及び横方向ともＪＩＳ  Ｌ１０９６剛軟度試験法のＡ法（４５度カンチレバー法）に準拠して、縦方向及び横方向の剛軟度が１５ｍｍ以上７０ｍｍ以下の範囲であることが好ましい。ネット部材２の剛軟度が１５ｍｍ未満の場合には、ネット部材２がやや軟らかくなるため、かつらベース１が変形しやすい傾向がありフィット感がやや低下するおそれがあるからである。一方、ネット部材２の剛軟度が７０ｍｍを超える場合には、ネット部材２がやや硬くなるため、頭部の大きな動きに対してかつらベース１全体が動きやすくなるおそれがあるからである。
【００２７】
また、形状安定糸７は、円弧状部５から扇形の直線部に向かうように複数配設することが好ましい。奇数本の形状安定糸７を配設することも可能であるが、できれば円弧状部５の中心線８に対して左右対称に偶数本を配設することがより好ましい。形状安定糸７が奇数本で且つ網目３の開口部への配設に片寄りがあると円弧状部５の形状保持に際してのバランスが悪くなり装着快適性が低下するおそれがあるからである。尚、円弧状部５を設けることによりネット部材２の剛軟度や形状安定糸７の本数いかんにかかわらず毛髪１５の立ち上がりをよくすることができるという効果を奏することはいうまでもない。
【００２８】
〔かつらの製造〕
次に、本発明に係るかつらベースを用いたかつらの製造方法について説明する。
【００２９】
はじめに、第一工程として、かつら装着者の頭部形状に模して作製した雄型の石膏型に、円弧状部５の突出方向が前額部側に向くようにネット部材２を張り付けて固定してから、熱硬化性ウレタン樹脂溶液を塗布し、加熱温度１００℃で８時間乾燥させて成形を行なった後、ネット部材２を石膏型から取り外す。ここで、使用した熱硬化性ウレタン樹脂溶液は、日新レジン株式会社製のＥ―６４Ａ（Ｎｏ．１．２．３）を６．５ｇ、Ｅ−６５ＢＳ（Ｎｏ．１）を３．５ｇ、メチルエチルケトンを所定量混合したものを使用する。尚、メチルエチルケトンの配合量を調整することにより、ネット部材２の剛軟度を調整することができる。
【００３０】
次に、第二工程として、かつら装着者の頭部形状に成形されたネット部材２の外周に帯状ネット部材４を取り付ける。帯状ネット部材４の取り付けは、まず帯状ネット部材４を１４ｍｍ幅で長さ７０ｃｍ以上にカットしてから、第一工程と同様に樹脂溶液を塗布して成形を行なう。次に、ネット部材２の外周端部にある不要ネットを切除した後、ネット部材２の外周に前記帯状ネット部４を半折りにして取り付け、縫製によりネット部材２と一体化してかつらベース１を作製する。
【００３１】
次に、第三工程として、かつらベース１に毛髪１５を植設する。毛髪１５の植設は、まず頭部形状の雄型にかつらベース１を合わせて固定する。次に、前額部及び頭頂部付近は円弧状部５の突出方向であって、円弧状部５の接線方向と垂直で円弧の突出方向に毛髪１５の毛先が向くように、ネット部材２の表面から鉤針を挿入してネット部材２を構成するフィラメントを掬い上げた後、鉤針の鉤部に毛髪１５を引っ掛けて結ぶ。また、後頭部付近はそれとは逆に、円弧状部５の接線方向と垂直で円弧の突出方向とは反対方向に毛先が向くように毛髪１５の植設を行なう。
【００３２】
植設する毛髪１５は、天然毛髪もしくは人工毛髪のいずれでも良く、毛髪１５の中央部を二つ折りにした折れ部をネット部材２の円弧状部５に結びつけることで植設される。その際、毛髪１５の指向性を一定にするために、それぞれの結び目が重なり合わないように、円弧状部５上に所定の間隔で植設を行なう。
【００３３】
〔残留ひずみ率測定方法〕
ＪＩＳ  Ｌ１０９６  Ｂ−２法（定伸長法）を一部変更し、試験片の寸法を１．５ｃｍ×１５ｃｍに切断採取し、１ｇの初荷重を加えたこと以外はＪＩＳ規格に則って行なった。
【実施例１】
【００３４】
以下に示す条件のネット部材２を用いてかつらベース１を作製し、さらに毛髪１５を植設してかつらを製作した。
すなわち、図１に示すように、円弧状部５の突出方向がかつらの前額部側に向くように配置されている。
ネット部材２のフィラメント             ：８４ｄｔｅｘ３６ｆ
網目３の中心角度９                     ：１２０°
剛軟度（前額部側（縦方向））           ：２７ｍｍ
（側頭部側（横方向））           ：３５ｍｍ
残留ひずみ率（前額部側（縦方向））     ：６％
（側頭部側（横方向））     ：３％
網目３一目あたりの形状安定糸７の本数   ：円弧状部５の中心線に対して左右対称に２本
円弧状部５一辺あたりの毛髪の植設箇所   ：円弧状部５に対して８０°〜１００°度の指向性で、それぞれ０．２ｍｍ間隔で６箇所に植設（１箇所あたり２本の毛髪を植設するので毛髪本数は１２本となる）
円弧状部５の列の並び方                 ：円弧状部５のａ列及びｂ列が互い違いになるように編成
【実施例２】
【００３５】
円弧状部５のｃ列及びｄ列が同列になるように編成されている以外は実施例１と同様のかつらベースに実施例１と同様に毛髪を植設してかつらを製作した。
【実施例３】
【００３６】
網目の中心角度が８５°であること以外は実施例１と同様のかつらベースに実施例１と同様に毛髪を植設してかつらを製作した。
【実施例４】
【００３７】
網目の中心角度が１５５°であること以外は実施例１と同様のかつらベースに実施例１と同様に毛髪を植設してかつらを製作した。
【実施例５】
【００３８】
ネット部材２の縦方向の剛軟度が１５ｍｍで、横方向の剛軟度が１９ｍｍで構成されている以外は実施例１と同様のかつらベースに実施例１と同様に毛髪を植設してかつらを製作した。
【実施例６】
【００３９】
ネット部材２の縦方向の剛軟度が５３ｍｍで、横方向の剛軟度が７０ｍｍで構成されている以外は実施例１と同様のかつらベースに実施例１と同様に毛髪を植設してかつらを製作した。
【実施例７】
【００４０】
形状安定糸の本数が６本で、円弧状部５の中心線に対して左右対称に３本ずつで構成されている以外は実施例１と同様のかつらベースに実施例１と同様に毛髪を植設してかつらを製作した。
【実施例８】
【００４１】
形状安定糸７の本数が４本で、円弧状部５の中心線に対して左右対称に２本ずつで構成されている以外は実施例１と同様のかつらベースに実施例１と同様に毛髪を植設してかつらを製作した。
【実施例９】
【００４２】
網目の中心角度が８０°であること以外は実施例１と同様のかつらベースに実施例１と同様に毛髪を植設してかつらを製作した。
【実施例１０】
【００４３】
網目の中心角度が１６０°であること以外は実施例１と同様のかつらベースに実施例１と同様に毛髪を植設してかつらを製作した。
【実施例１１】
【００４４】
ネット部材２の剛軟度が、縦方向１０ｍｍ、横方向１６ｍｍで構成されている以外は実施例１と同様のかつらベースに実施例１と同様に毛髪を植設してかつらを製作した。
【実施例１２】
【００４５】
ネット部材２の剛軟度が、縦方向６１ｍｍ、横方向７５ｍｍで構成されている以外は実施例１と同様のかつらベースに実施例１と同様に毛髪を植設してかつらを製作した。
【実施例１３】
【００４６】
形状安定糸の本数が８本で、円弧状部５の中心線に対して左右対称に配設した以外は実施例１と同様のかつらベースに実施例１と同様に毛髪を植設してかつらを製作した。
【実施例１４】
【００４７】
形状安定糸の本数が６本で、円弧状部５の中心線に対して左側に４本、右側に２本の配置とした以外は実施例１と同様のかつらベースに実施例１と同様に毛髪を植設してかつらを製作した。
【００４８】
〔比較例１〕
円弧状部５の突出方向がかつらの後頭部側に向くように配置したこと以外は実施例１と同様のかつらベースに実施例１と同様に毛髪を植設してかつらを製作した。
【００４９】
〔比較例２〕
円弧状部５の突出方向がかつらの右側頭部側に向くように配置したこと以外は実施例１と同様のかつらベースに実施例１と同様に毛髪を植設してかつらを製作した。尚、かつらベース１は、ほぼ左右対称であるので、円弧状部５の突出方向を左側頭部側に向けて配置しても同様の結果になると考えられる。
【００５０】
〔比較例３〕
形状安定糸７が配設されていない以外は実施例１と同様のかつらベースに実施例１と同様に毛髪を植設してかつらを製作した。
【００５１】
〔比較例４〕
形状安定糸７が横方向に平行に配置したこと以外は実施例１と同様のかつらベースに実施例１と同様に毛髪を植設してかつらを製作した。
【００５２】
〔比較例５〕
以下に示す条件の図示しない矩形ネット部材を用いて、かつらベースを作製し、さらに毛髪を植設してかつらを製作した。尚、材質は本実施形態のネット部材２と同様にポリエステルを用いた。
ネット部材の縦糸及び横糸の長さ       ：１．５ｍｍ×１．５ｍｍ
ネット部材のフィラメント             ：８４ｄｔｅｘ３６ｆ
形状安定糸の本数                     ：なし
剛軟度（前額部側（縦方向））         ：４４ｍｍ
（側頭部側（横方向））         ：４１ｍｍ
残留ひずみ率（前額部側（縦方向））   ：４％
（側頭部側（横方向））   ：２％
網目の縦糸及び横糸への毛髪植設箇所   ：各糸に対して８０度から１００度の角度の指向性で、１箇所あたり２本の毛髪をそれぞれの辺（計４辺）に３箇所ずつ植設（計２４本の毛髪を植設）
【００５３】
〔結果〕
実施例１−８のかつらは、何れもかつらベース１の前額部側の毛髪１５の指向性が放射状になり、かつらベース１に植設した毛髪１５が十分に立ち上がり、自然なボリューム感とヘアスタイルが得られた。また、後頭部側の毛髪１５の指向性が一方向に向かい毛髪１５の立ち上がりを防ぎ、かつらベース１の外周端部でかつらの毛髪１５と装着者の自毛とが馴染み合い、うなじ付近が特に馴染み自然な外観とヘアスタイルが得られた。また、図３（ａ）に示すように、実施例１では円弧状部のａ列とｂ列とが互い違いになるように編成されているので、前額部側に植設した毛髪１５が重なり合う交点、例えば交点１ａ、２ａなどが多くなり、それぞれの毛髪１５が支え合って立ち上がり易くなることから、少ない毛髪でも自然なボリューム感を得ることができた。また、ネット部材２が適度な軟らかさを維持しながら引張強度を向上させることができるので、満足のいくかつらのフィット感とかつらの形状安定性が得られ、快適にかつらを装着することができた。また、図３（ｂ）に示すように、実施例２では、実施例１よりも網目間の隙間１７が大きくなり、毛髪を植設できる円弧状部が少なくなったが、毛髪の指向性が放射状で毛髪の重なり合う交点が多く、自然なボリューム感を得ることができた。
【００５４】
実施例９のかつらは、毛髪１５の立ち上がりがよくなるという効果は認められたが、図５に示すように、網目３の中心角度を８０°としたことで、自然なボリューム感、及び所望のヘアスタイルのセットという点では実施例３の方がより好ましかった。
【００５５】
実施例１０のかつらは、毛髪１５の立ち上がりがよくなるという効果は認められたが、図６に示すように、網目の中心角度を１６０°としたことで、毛髪１５全体のまとまり安さの点では実施例４の方がより好ましかった。
【００５６】
実施例１１のかつらは、毛髪１５の立ち上がりがよくなるという効果は認められたが、ネット部材２の剛軟度を縦方向１０ｍｍ、横方向１６ｍｍで構成したので、かつらベース１が少し軟らく、毛髪１５の植設時に網目３が伸びぎみであった。また、フィット感という点では実施例５、６の方がより好ましかった。
【００５７】
実施例１２のかつらは、毛髪１５の立ち上がりがよくなるという効果は認められたが、ネット部材２の剛軟度を縦方向６１ｍｍ、横方向７５ｍｍで構成したので、かつらベース１が少し硬く、頭部の大きな動きに対してかつらベース１全体が動きやすくなる傾向がみられた。また、フィット感という点では実施例５、６の方がより好ましかった。
【００５８】
実施例１３のかつらは、形状安定糸７の本数を８本配設したので、ネット部材２の残留ひずみ率が縦方向２％、横方向１％と低く、かつらベース１の形状安定性は得られた。しかし、網目３に多くの形状安定糸７を配置することになったので網目３の隙間の面積が小さくなり通気性がやや低下する傾向があった。そのため装着快適性という点では実施例７、８の方がより好ましかった。
【００５９】
実施例１４のかつらは、形状安定糸７が円弧状部５の中心線に対して左右対称に配設されていないので、網目３の開口部への配設に片寄りがあり、円弧状部５の形状保持に際してのバランスがやや低下する傾向があった。そのため、実施例７、８の方がフィット感という点ではより好ましかった。
【００６０】
一方、比較例１のかつらは、円弧状部５の突出方向がかつらの後頭部側に向くように配置したことで、前額部側に向かう毛髪１５の指向性が放射状にならなくなり、かつらとして自然な外観を得るために最も重要な前額部付近の毛髪１５の立ち上がりが十分でなく、自然な毛髪１５のボリューム感とヘアスタイルを得ることができなかった。また、毛髪１５の立ち上がりの少ない方が自然な外観となる後頭部側において、毛髪１５が立ち上がってしまうことで、不自然な外観となってしまった。
【００６１】
比較例２のかつらは、円弧状部５の突出方向がかつらの右側頭部側に向くように配置したことで、比較例１と同様に、かつらとして自然な外観を得るために最も重要な前額部付近の毛髪１５の立ち上がりが十分でなく、自然な毛髪１５のボリューム感とヘアスタイルを得ることができなかった。また、毛髪１５の立ち上がりの少ない方が自然な外観となる側頭部側において、毛髪１５が立ち上がってしまうことで、不自然な外観となってしまった。さらに、形状安定糸の配置も側頭部側に向くので、満足のいくかつらの前後方向の引張強度が得られなかった。
【００６２】
比較例３のかつらは、形状安定糸７が配設されていないため、ネット部材２の残留ひずみ率が縦方向１８％、横方向６％となった。縦方向の残留ひずみ率が１５％を超えてしまうので、日々のかつら着脱時に生じるネット部材２のひずみが大きくなり、かつらの長期間の使用でかつらベース１が変形してフィット感が低下し、かつらベース１の形状安定性が得られなかった。
【００６３】
比較例４のかつらは、形状安定糸７を横方向に平行に配設してことで、残留ひずみ率が縦方向１６％、横方向５％となってしまい、縦方向の残留ひずみ率が１５％を超えてしまうので、日々のかつら着脱時に生じる前額部から後頭部への引張荷重により、ネット部材２のひずみが徐々に大きくなり、かつらベース１が変形してフィット感が低下し、かつらベース１の形状安定性が得られなかった。
【００６４】
比較例５のかつらは、図示しない矩形ネット部材を用いてかつらを作製したことで、植設した図示しない毛髪の指向性が同一の方向に集束してしまい、上方向からの力が何度か加わると、それぞれの毛髪の自重などで毛髪が立ち上がらずに自然なボリューム感を得ることができなかった。また、ボリューム感を得るために、網目に植設する毛髪の本数を増やすと、かつらとして毛髪量が必要以上に多くなってしまい、不自然な外観となってしまった。
【符号の説明】
【００６５】
１      かつらベース
２      ネット部材
３      網目
４      帯状ネット部材
５      円弧状部
６      連結部
７      形状安定糸
８      円弧状部の中心線
９      中心角度
１０      毛髪の結び目
１１      頂点近傍
１２      円弧状部の左右両端部
１５      毛髪
１６      外周端部
１７      網目間の隙間
２０      フィラメント
【図１】
2010196197.tif 000003
【図２】
2010196197.tif 000004
【図３】
2010196197.tif 000005
【図４】
2010196197.tif 000006
【図５】
2010196197.tif 000007
【図６】
2010196197.tif 000008
【図７】
2010196197.tif 000009